(57)【要約】【課題】多量の冷却材や発熱材を用いたとしても貨物用断熱カバー内の貨物を損なうことがない貨物用断熱カバーを提供する。【解決手段】熱反射層および／または断熱層からなり貨物の天面、底面および側面のうち少なくとも一面を覆う形状の表皮材と、表皮材の内側に位置し冷却材または発熱材を保持する保持部とからなるように構成した。したがって、多量の冷却材や発熱材を用いたとしても貨物用断熱カバー内の貨物を損なうことがない。【選択図】      図１
2004203396.tif 000002
【特許請求の範囲】
【請求項１】
熱反射層および／または断熱層からなり貨物の天面、底面および側面のうち少なくとも一面を覆う形状の表皮材と、表皮材の内側に位置し冷却材または発熱材を保持する保持部とからなることを特徴とする貨物用断熱カバー。
【請求項２】
保持部を複数備える請求項１記載の貨物用断熱カバー。
【請求項３】
表皮材側面において保持部を上下位置に備える請求項２記載の貨物用断熱カバー。
【請求項４】
貨物用断熱カバーの内部に支持部材が固定された請求項１〜３のいずれかに記載の貨物用断熱カバー。
【発明の詳細な説明】
【０００１】
【発明の属する技術分野】
この発明は、貨物用断熱カバーに関する。
【０００２】
【従来の技術】
従来、パレット（スキッドともいう）上に多数個の貨物を載せて輸送する貨物輸送手段がある。パレット上の貨物には、荷崩れを防止するために、プラスチックフィルムが巻き付けられたり、網が被せられたりしている。
【０００３】
このような輸送手段において、貨物が冷凍食品や生鮮食品など、保冷が必要である場合、貨物の上にドライアイスなどの冷却材を置き、さらにその上から断熱性を有するカバーで覆うことが提案されている。（たとえば、特許文献１参照）。
【０００４】
【特許文献１】
特開平７−３００１５５号公報
【０００５】
【発明が解決しようとする課題】
しかし、多量の貨物に対して長時間の保冷が必要である場合、多量の冷却材を貨物の上に置くことになり、その重量がかさむため貨物の破損や変形の原因となるおそれがある。このような問題は、貨物を保温すべき場合において多量の発熱材を用いる場合も同様である。
【０００６】
したがって、この発明は、上記のような欠点を解消し、多量の冷却材や発熱材を用いたとしても貨物用断熱カバー内の貨物を損なうことがない貨物用断熱カバーを提供することを目的とする。
【０００７】
【課題を解決するための手段】
この発明の貨物用断熱カバーは、上記の目的を達成するために、つぎのように構成した。
【０００８】
すなわち、この発明の貨物用断熱カバーは、熱反射層および／または断熱層からなり貨物の天面、底面および側面のうち少なくとも一面を覆う形状の表皮材と、表皮材の内側に位置し冷却材または発熱材を保持する保持部とからなるように構成した。
【０００９】
また、上記の発明において、保持部を複数備えるように構成してもよい。
【００１０】
また、上記の発明において、表皮材側面において保持部を上下位置に備えるように構成してもよい。
【００１１】
また、上記の発明において、貨物用断熱カバーの内部に支持部材が固定されるように構成してもよい。
【００１２】
【発明の実施の形態】
図面を参照しながらこの発明の実施の形態について詳しく説明する。
【００１３】
図１〜２は、この発明の貨物用断熱カバーの一実施例を示す断面図である。図３〜４は、この発明の貨物用断熱カバーの一実施例を示す斜視図である。図５は、この発明の貨物用断熱カバーの一実施例を示す平面図である。図６は、この発明の貨物用断熱カバーの一実施例を示す斜視図である。図７〜８は、この発明の貨物用断熱カバーの一実施例を示す断面図である。図９は、この発明の貨物用断熱カバーの一実施例を示す斜視図である。図１０は、この発明の貨物用断熱カバーに用いるタブの一実施例を示す斜視図である。図１１は、この発明の貨物用断熱カバーに用いる支持部材の一実施例を示す斜視図である。図中、１は貨物用断熱カバー、２は表皮材、３は保持部、４は結合手段、５はタブ、６は支持部材、７は貨物である。
【００１４】
この発明の貨物用断熱カバー１は、熱反射層および／または断熱層からなり貨物７の天面、底面および側面のうち少なくとも一面を覆う形状の表皮材２と、表皮材２の内側に位置し冷却材または発熱材を保持する保持部３とからなるように構成されている（図１〜２参照）。
【００１５】
表皮材２は、熱反射層および／または断熱層からなる。
【００１６】
熱反射層としては、アルミニウム箔やアルミニウム蒸着を施したフィルムを用いることができる。熱反射層により、直射日光下で貨物用断熱カバー１を用いる場合など、優れた保冷性能を得ることができる。
【００１７】
断熱層としては、ウレタンフォームなどの発泡樹脂や、グラスウール、アルミニウム繊維などから構成される不織布などを用いることができる。
【００１８】
表皮材２は、貨物７の天面、底面および側面のうち少なくとも一面を覆う形状である。たとえば、輸送用パレットなどの断熱性を有する板状部材に搭載した貨物７に貨物用断熱カバー１を用いるような場合には、貨物７の天面と側面を覆い底面が開口部となる立方体形状にするとよい。貨物７の底面まで貨物用断熱カバー１で覆うのではないため、その面積分の製造コストを軽減することができる。また、貨物７が重量物であったり数が多かったりする場合であっても、貨物７を持ち上げて貨物用断熱カバー１の内部に貨物７を格納する必要がないので、貨物用断熱カバー１の使用に伴う作業性も向上する。
【００１９】
また、表皮材２の形状としては、貨物用断熱カバー１の用途に応じ、いくつかの面を省略することも可能である。
【００２０】
また、ジッパー、面ファスナー、スナップファスナーなどの結合手段４を利用し、表皮材２の一面に開閉部分を形成してもよい（図３〜４参照）。表皮材２に開閉部分を設けることで、貨物用断熱カバー１の内部に貨物７を出し入れする場合や、冷却材や発熱材を出し入れする場合、その作業性を向上させることができる。
【００２１】
また、表皮材２の天面と側面とは連結し、４面の側面どうしはジッパー、面ファスナー、スナップファスナーなどの結合手段４を利用して開閉可能に構成することにより、使用時には組み立てて箱状で運用し、保管時は畳んで収納することが可能になる（図５〜６参照）。
【００２２】
貨物用断熱カバー１の内側には、保持部３を形成する。
【００２３】
保持部３は、冷却材または発熱材を保持するものであり、通気性を有する布帛や網からなるポケット形状に構成するとよい。通気性を有するようにすることにより、冷却材による冷気や、発熱材による暖気を保持部３から効率よく流出させることができる。また、必要に応じて、保持部３の内部に入れた冷却材または発熱材が落下しないようにするため、ジッパー、面ファスナー、スナップファスナーなどの結合手段４を利用して保持部３の開口部を閉じることができるようにしてもよい。
【００２４】
また、保持部３は、面ファスナー、フック、スナップファスナーなどの結合手段４によって構成してもよい。種々の結合手段４により、冷却材または発熱材を保持部３に固定することができる。また、保持部３に固定した冷却材または発熱材が落下しないようにするため、ゴムバンドなどの他の結合手段４を併用してもよい。
【００２５】
発熱材としては、カイロ、湯たんぽなどを用いることができる。
【００２６】
冷却材としては、保冷材、ドライアイス、氷などを用いることができる。冷却材として氷などの液体が漏れ出すようなものを用いる場合は、液体が貨物７にかからないようにするため、袋などの密閉した容器に入れておくのが好ましい。
【００２７】
保持部３は、表皮材２の内側に、その天面と側面に複数個形成するのが望ましい（図１〜２参照）。保持部３を複数個形成すると、貨物７の周囲に冷却材または発熱材が複数に分割されて配置されることになり、貨物７が揺れたとしても、冷却材または発熱材の位置が偏ることがなくなる。
【００２８】
また、表皮材２の側面内側において、上下に位置するように保持部３を複数形成してもよい。このように保持部３を配置すると、冷気は下降するので冷却材を用いる場合は上側の保持部３に保持させることができ、暖気は上昇するので発熱材を用いる場合は下側の保持部３に保持させることができ、より効率よく保冷または保温を行うことができる。
【００２９】
また、保持部３は冷却材または発熱材を保持することによって厚みが生まれるので、その厚みを考慮し、表皮材２の容積が貨物７よりも大きくなるようにする。このように、保持部３に保持された冷却材または発熱材の厚みによって貨物７の側面と表皮材２との間が隔てられることになり隙間ができるので、より効率よく冷気または暖気が貨物用断熱カバー１内を行き渡ることになる。
【００３０】
また、表皮材２が、天面と４つの側面とからなり底面を有さない形状である場合は、貨物用断熱カバー１の側面の裾部に締付け手段を備えるように構成してもよい（図７参照）。貨物用断熱カバー１が底面を有さない場合には、貨物用断熱カバー１の開口部から冷気または暖気が流出してしまう。貨物用断熱カバー１の側面の裾部に、ベルト、ストラップ、ゴムバンドなどの締付け手段を取り付けて締め付けることにより、貨物用断熱カバー１と貨物７との間の隙間をなくし、冷気または暖気の流出を防ぐことができる。締付け手段にはバックルなどの着脱式固定具を端部に必要に応じて取り付ける。
【００３１】
また、貨物用断熱カバー１の裾部の断面形状が、貨物７の断面形状と一致するように構成してもよい（図８〜９参照）。このように構成することにより、貨物用断熱カバー１と貨物７間の隙間をより小さくすることができる。また、締付け手段による締め付けを併用することにより、さらに隙間を塞ぐことができる。
【００３２】
冷却材または発熱材は、貨物７の上に直接置かれるのではなく、貨物用断熱カバー１の保持部３に保持されるため、冷却材または発熱材が多量であってもその重量は貨物用断熱カバー１の表皮材２によって貨物７全体に加重されることになるため、貨物７が破損したり変形したりすることがなくなる。
【００３３】
なお、貨物７が破損しやすい物である場合や、冷却材または発熱材の量が著しく多い場合などでは、貨物用断熱カバー１天面の各辺および側辺に支持部材６を固定するように構成してもよい（図１０〜１１参照）。支持部材６としては、木材や金属などを素材とする棒材または板材を用いるのが望ましい。特に、軽量で強度のあるアルミニウムパイプが好ましい。
【００３４】
また、貨物用断熱カバー１を支持部材６と連結するために、表皮材２内部の各辺に輪状のタブ５を複数個取り付けてもよい（図１０参照）。このタブ５に支持部材６となる棒材を差込み、貨物用断熱カバー１全体を支持する支持部材６（図１１参照）を構成することができる。支持部材６の脚部は、パレットなどに固定してもよい。貨物用断熱カバー１が支持部材６を備えるようにすることにより、支持部材６が冷却材または発熱材の重量を担うことになり貨物７にかかる荷重を低減させることができる。
【００３５】
また、貨物７が生鮮物である場合、支持部材６を用いて貨物用断熱カバー１の天面を貨物７の天面から隔離し、貨物用断熱カバー１の天面内側の保持部３にのみ冷却材を保持させるようにすれば、冷却材と貨物７の接触によって発生する過冷却状態による品質低下を防ぐことができる。
【００３６】
【実施例】
（実施例１）  貨物用断熱カバーとして、貨物の天面、底面および側面を覆う形状に、アルミニウム蒸着を施したフィルムからなる熱反射層とアルミニウム不織布からなる断熱材との積層体で構成し、各側面の内側に保持部として網からなるポケットを各面４か所ずつ配置し、天面の内側に網からなるポケットを４か所配置したものを作成した。
【００３７】
冷却材として、ドライアイス片を用いた。
【００３８】
保持部からドライアイス片が落ちないようにするため、側面のポケットにはボタンを用いた蓋を、天面のポケットにはボタンをつけた布片をそれぞれ配置して固定した。
【００３９】
このようにして得た貨物用断熱カバーは、貨物の全体を均一に冷却することができるものであった。
【００４０】
【発明の効果】
この発明は、以上のような構成を採るので、以下のような効果を奏する。
【００４１】
この発明の貨物用断熱カバーは、熱反射層および／または断熱層からなり貨物の天面、底面および側面のうち少なくとも一面を覆う形状の表皮材と、表皮材の内側に位置し冷却材または発熱材を保持する保持部とからなるように構成したので、多量の冷却材や発熱材を用いたとしても貨物用断熱カバー内の貨物を損なうことがないものである。
【図面の簡単な説明】
【図１】この発明の貨物用断熱カバーの一実施例を示す断面図である。
【図２】この発明の貨物用断熱カバーの一実施例を示す断面図である。
【図３】この発明の貨物用断熱カバーの一実施例を示す斜視図である。
【図４】この発明の貨物用断熱カバーの一実施例を示す斜視図である。
【図５】この発明の貨物用断熱カバーの一実施例を示す平面図である。
【図６】この発明の貨物用断熱カバーの一実施例を示す斜視図である。
【図７】この発明の貨物用断熱カバーの一実施例を示す断面図である。
【図８】この発明の貨物用断熱カバーの一実施例を示す断面図である。
【図９】この発明の貨物用断熱カバーの一実施例を示す斜視図である。
【図１０】この発明の貨物用断熱カバーに用いるタブの一実施例を示す斜視図である。
【図１１】この発明の貨物用断熱カバーに用いる支持部材の一実施例を示す斜視図である。
【符号の説明】
１  貨物用断熱カバー
２  表皮材
３  保持部
４  結合手段
５  タブ
６  支持部材
７  貨物
【図１】
2004203396.tif 000003
【図２】
2004203396.tif 000004
【図３】
2004203396.tif 000005
【図４】
2004203396.tif 000006
【図５】
2004203396.tif 000007
【図６】
2004203396.tif 000008
【図７】
2004203396.tif 000009
【図８】
2004203396.tif 000010
【図９】
2004203396.tif 000011
【図１０】
2004203396.tif 000012
【図１１】
2004203396.tif 000013